(57)【要約】【課題】  ロック機構付きスタッカに出力途中のジョブに対し、画像が正しく印字されているか、どこまで印刷が進んでいるかを確認する。【解決手段】  キーを押下した時点で印字中の画像を１枚複製し、スタッカのサンプルトレイへ出力する。ユーザが指定したページを複製し、スタッカのサンプルトレイへ出力する。【選択図】  図８
2007067859.tif 000002
【特許請求の範囲】
【請求項１】
画像データを入力する画像入力手段と、前記画像入力手段により入力された画像データを順次記憶する画像記憶手段と、前記画像記憶手段に記憶された画像を順次読み出し用紙にプリント出力する画像出力手段と、プリントされた用紙を積載するスタック手段を有し、前記スタック手段は大量な出力用紙を積載するスタック部と少量の出力用紙を積載するサンプルトレイ部を備え、前記スタック部にプリント出力する用紙の一部の複製を前記サンプルトレイ部にプリント出力するサンプル出力機能を有することを特徴とする特徴とする画像処理装置。
【請求項２】
前記サンプルトレイ部にプリント出力する複製は、前記スタック部にプリント出力する複数部の出力用紙のうち、先頭の部の先頭ページ1枚であることを特徴とする請求項1の画像処理装置。
【請求項３】
前記サンプルトレイ部にプリント出力する複製は、前記スタック部にプリント出力する複数部の出力用紙のうち、各部の先頭ページであることを特徴とする請求項1の画像処理装置。
【請求項４】
前記サンプルトレイ部にプリント出力する複製は、前記スタック部にプリント出力する複数部の出力用紙のうち、各部の先頭ページであるとともに、各出力用紙に部番号を印字することを特徴とする請求項1の画像処理装置。
【請求項５】
前記画像処理装置は、前記サンプル出力機能を設定するための入力手段を有し、前記サンプルトレイ部にプリント出力する複製は、前記入力手段からサンプル出力指示をしたタイミングで画像形成をしていた画像を前記サンプルトレイ部にプリント出力することを特徴とする請求項1の画像処理装置。
【請求項６】
前記画像処理装置は、前記サンプル出力機能を設定するための入力手段を有し、前記サンプルトレイ部にプリント出力する複製は、前記入力手段からサンプル出力ページを指定し、そのページを1部のみプリント出力することを特徴とする請求項1の画像処理装置。
【発明の詳細な説明】
【技術分野】
【０００１】
本発明は、サンプルトレイを備えたスタッカを接続したデジタル複写機に関するものである。
【背景技術】
【０００２】
近年のデジタル複写機は、ハードディスクなどの大容量記憶装置を搭載し、大量の原稿を一度だけ記憶装置に読み込み、大量部数コピー出力することを想定した構成になっている。さらにはプリンタ機能等と複合化され、ますます大量プリントを行う用途が増している。このような背景のもと、デジタル複写機にも1分間に100枚以上のプリント出力を行うことのできる高速機が出てきている。これらの高速デジタル機には、大量の出力用紙をスタックしておくための大容量スタッカを装着することが可能なものも存在する。大容量スタッカの中には、プリント最中の安全性から、スタック部が扉でガードされており、プリント最中はその扉に自動的にロックがかかり、扉を開けることができなくなるものも存在する。
【０００３】
従来例としては、例えば特許文献１と特許文献２と特許文献３をあげることが出来る。
【特許文献１】特開２００３−２７６８８４号公報
【特許文献２】特開２００４−３６１８２７号公報
【特許文献３】特開２００３−２１９１０４号公報
【発明の開示】
【発明が解決しようとする課題】
【０００４】
しかしながら、大量ページを大量部数プリントやコピーすると、スタッカがロックされていることから、出力された画像を確認することができず、全プリント完了後に画像のずれなどを発見した場合、大量の出力用紙が無駄になってしまうという問題があった。
【０００５】
また、複数ジョブをプリントする場合に、現在プリントされているジョブが完了するまでスタッカを開けることができず、プリントが正しく終了しているかどうかを判断することができないという問題があった。
【課題を解決するための手段】
【０００６】
本発明は、上記従来例の問題点に鑑みてなされたものであり、その目的とするところは、サンプルトレイとロック機構を備えるスタッカを装着した場合においても、実際のプリント出力結果をプリント出力中に簡単に確認できるデジタル複写機を提供することである。
【発明の効果】
【０００７】
以上のように本発明によれば、サンプルトレイとロック機構を備えるスタッカを装着した場合においても、実際のプリント出力結果をプリント出力中に簡単に確認できるデジタル複写機を提供することができる。
【発明を実施するための最良の形態】
【０００８】
（実施例１）
図１は本実施例における画像形成装置の構成を示すブロック図である。同図において、101はデジタル複写機本体であり、操作部102、リーダ部103、プリンタ部104から構成される。操作部102はデジタル複写機本体101及び画像入出力制御部105を操作するために使用する。リーダ部103は原稿の画像を読み取り、原稿画像に応じた画像データをプリンタ部104及び画像入出力制御部105へ出力する。プリンタ部104はリーダ部103及び画像入出力制御部105からの画像データに応じた画像を記録紙上に記録する。画像入出力制御部105はリーダ部103に接続されており、コンピュータインタフェース部106、画像メモリ107、制御部108、バックアップRAM110から構成される。
【０００９】
コンピュータインターフェイス部106は、パーソナルコンピュータ又はワークステーション（ＰＣ／ＷＳ）によって構成されるプリントサーバ109と制御部108の間のインターフェイスであり、ＰＣ／ＷＳ109から転送された画像を表すコードデータ(PDL)をプリンタ部104で記録できる画像データに展開して制御部108に渡す。
【００１０】
制御部108については後述するが、制御部108はリーダ部103、コンピュータインターフェイス部106、画像メモリ107のそれぞれの間のデータの流れを制御するものである。
【００１１】
バックアップRAM110は、電源を落としても消去されないメモリであり、デジタル複写機101及び画像入出力制御部105においてバックアップしておかなければならないデータを保存しておくものである。
【００１２】
図２は、フィニッシャが装着された複写機の断面図である。原稿給送装置201は原稿を先頭順に1枚ずつプラテンガラス202上へ給送し、原稿の読み取り動作終了後、プラテンガラス202上の原稿を排出するものである。原稿がプラテンガラス202上に搬送されると、ランプ203を点灯し、そしてスキャナユニット204の移動を開始させて、原稿を露光走査する。この時の原稿からの反射光は、ミラー205、206、207、及びレンズ208によってＣＣＤイメージセンサ（以下ＣＣＤという）209へ導かれる。このように、走査された原稿の画像はＣＣＤ209によって読み取られる。
【００１３】
レーザドライバ221はレーザ発光部210を駆動するものであり、出力画像データに応じたレーザ光をレーザ発光部210に発光させる。このレーザ光は感光ドラム211に照射され、感光ドラム211にはレーザ光に応じた潜像が形成される。この感光ドラム211の潜像の部分には現像器212によって現像剤が付着される。カラー機の場合は、イエロー、マゼンタ、シアン、ブラックの4色分現像器が装着される。そして、レーザ光の照射開始と同期したタイミングで、カセット213及びカセット214、手差し給紙段227のいずれかから記録紙を給紙して転写部215へ搬送し、感光ドラム211に付着された現像剤を記録紙に転写する。現像剤の乗った記録紙は定着部216に搬送され、定着部216の熱と圧力により現像剤は記像紙に定着される。定着部216を通過した記録紙は排出ローラ217によって排出され、また、両面記録が設定されている場合は、排出ローラ217のところまで記録紙を搬送した後、排出ローラ217の回転方向を逆転させ、フラッパ218によって再給紙搬送路219へ導く。再給紙搬送路219へ導かれた記録紙は上述したタイミングで転写部215へ給紙される。
【００１４】
Z折りユニット226が本体に装備されている場合には、Z折りユニットへ記録紙が搬送され、操作部からの操作に応じてZ折りが行われる。フィニッシャ220が装備されている場合、排出された記録紙を束ねて記録紙の仕分けをしたり、ユーザからの指定に応じてパンチャ223で記録紙のパンチが、ステイプラ224でステイプルがそれぞれ行われる。また、サドルスティッチャー225を使用すると、記録紙の中央部をステッチし、その中央部を折ることにより記録紙が製本される。インサータ222では、予め印刷された記録紙を、表紙や合紙として給紙することが可能となり、プリンタ部の記録紙経路を通すことがないため用紙を傷めず搬送することができる。サドステッチャー225を使用しないジョブは、排紙口231を通り、可動トレイ228、229のどちらかに排出される。可動トレイ228と229は両方共上下に動作することができ、可動トレイ228に出力する場合には可動トレイ228が排紙口231の位置まで降りる。サドルステッチャー225を使用するジョブは、排紙口232を通り、製本トレイ230に排出される。
【００１５】
図３は、デジタル複写機の操作部102のキー配列を示す。301は、電源スイッチであり、本体への通電を制御する。302は、予熱キーであり、予熱モードのＯＮ／ＯＦＦに使用する。303は、コピーキーであり、複数の機能の中からコピーモードを選択するときに使用する。304は、送信キーであり、スキャン画像をネットワークを通じてホストPCに送信するときに使用する。305は、ボックスキーであり、複数の機能の中からボックスモードを選択するときに使用する。ボックス機能とは、ユーザ個人や部署毎に複写機内のメモリに記憶領域を持ち、そこにPDLやスキャン画像を入れておき、好きなときに出力する機能である。306は、拡張キーであり、PDLに対する操作を行うときに使用する。303〜306は後述するLCD316の各々の機能画面を呼び出すときにも使用され、LCD316の表示により各々のジョブの状況を見ることができる。307は、コピースタートキーであり、コピーの開始を指示するときに用いるキーである。308は、ストップキーであり、コピーを中断したり、中止したりするときに用いるキーである。309は、リセットキーで、スタンバイ中は標準モードに復帰させるキーとして動作する。310は、ガイドキーであり、各機能を知りたいときに使用するキーである。311は、ユーザーモードキーであり、ユーザーがシステムの基本設定を変更するときに使用する。312は、割り込みキーであり、コピー中に割り込みしてコピーしたいときに用いる。313は、テンキーであり、数値の入力を行うときに使用する。314は、クリアキーであり、数値をクリアするときに用いる。315は、IDキーであり、複写機を使用する場合にIDの入力モードに移行するときに使用する。316は、液晶画面とタッチセンサの組合せからなるLCDタッチパネルであり、各モード毎に個別の設定画面が表示され、さらに、描画されたキーに触れることで、各種の詳細な設定を行うことが可能である。また、各々のジョブの動作状況表示なども行う。317は、ネットワークの通信状態を示すタリーランプであり、通常緑色で、通信しているときは緑色で点滅し、ネットワークエラーの場合には赤色になる。
【００１６】
図４は、本実施例における操作パネル316のコピー標準画面を示した図である。本実施例の画像処理装置は、電源投入時にデフォルトとしてコピー標準画面で起動するようになっている。401は、メッセージラインであり、コピージョブの状態をメッセージで表示する。402は、倍率表示であり、設定された倍率やコピーモードによって自動的に決められる倍率をパーセントで表示する。403は、用紙サイズ表示であり、選択された出力用紙を表示し、自動用紙選択が設定されている場合にはオート用紙というメッセージを表示する。404は置数表示であり、何枚コピーするかを示す。405は、縮小キーであり、縮小コピーを行いたい場合に使用する。406は、等倍キーであり、縮小や拡大が設定されている場合に等倍に戻したいときに使用する。407は、拡大キーであり、拡大コピーを行いたい場合に使用する。408は、ズームキーであり、細かい単位で倍率をｈ設定して縮小コピーや拡大コピーを行いたい場合に使用する。409は、用紙選択キーであり、出力用紙を指定する場合に使用する。410は、ソータキーであり、ソートやステイプルのモードを設定する場合に使用する。411は両面キーであり、両面モードを設定する場合に使用する。412は、濃度表示で、現在の濃度が分かるようになっており、左側が濃度が薄く、右側が濃度が濃いことを示す。また、濃度表示412は、うすくキー413、こくキー415と連動して表示が変化するようになっている。413は、うすくキーであり、濃度を薄くしたい場合に使用する。414は自動キーであり、自動的に濃度を決定するモードを使用する場合に使用する。415は、こくキーであり、濃度を濃くしたい場合に使用する。416は、文字キーであり、文字原稿をコピーするのに適した濃度に自動的に設定する文字モードを設定する場合に使用する。417は、文字/写真キーであり、写真が混在した原稿をコピーするのに適した濃度に自動的に設定する文字/写真モードを設定する場合に使用する。418は、応用モードキーであり、コピー標準画面で設定できない様々なコピーモードを設定する場合に使用する。419は、プリント状況キーであり、現在この画像形成装置101で行われているプリントの状況を見たい場合に使用する。プリント状況キー419は、コピー標準画面だけではなく、常にこの位置に現れており、いつでもこのキーを押すことによりプリント状況を見ることができるようになっている。420は、スタッカサンプルキーであり、スタッカにプリント出力中にこのキーを押下することで、そのとき画像形成中の画像を本出力とは別の用紙に印字し、スタッカのサンプルトレイに出力するときに使用する。スタッカサンプルキー420は、スタッカにプリント出力中でないときに押下されても反応しない。もちろん、反応しない状態のときは網掛け等の表示処理を行ってもよい。
【００１７】
図５は、本実施例におけるスタッカの断面図である。501はスタッカ全体を示しており、スタッカ501は、図２のプリンタ部104とZ折りユニット226との間に接続される。502は、スタック部であり、大量にプリントされた出力用紙を積載するユニットである。503は、スタッカのサンプルトレイであり、スタック部に積載する必要がない少量のプリントや、割り込みコピーなどの場合に出力するトレイである。また、本実施例においては、スタック部502に積載するプリント出力のコピーをこのサンプルトレイ503に出力する。504は、給紙口であり、プリンタ部104から排出された出力用紙を受け、スタッカ501内部の用紙搬送部506に出力用紙を送る。505は、排紙口であり、スタッカ501内部の用紙搬送部506からZ折りユニット226に出力用紙を排出する。506は、用紙搬送部であり、給紙口504から給紙した用紙を、スタック部502、サンプルトレイパス507、排紙パス508に用紙を搬送する。507は、サンプルトレイパスであり、用紙搬送部506とサンプルトレイ503を繋ぎ、用紙を搬送する。508は、排紙パスであり、用紙搬送部506と排紙口505を繋ぎ、用紙を搬送する。509は、キャスターであり、これによりスタッカ501を動かしやすくしている。このキャスターはスタック部502にも装着されており、スタック部502に積載された出力用紙を取り出す場合において、スタック部502を手前に引き出しやすくしている。また、図示していないが、このスタッカ501には自動ロック機構付きの扉が付いている。この扉は手前に開くようになっているが、スタッカ501が用紙を搬送している間は自動的にロックがかかり、扉が開かない状態となる。
【００１８】
図６は、本実施例における操作パネル316のサンプル出力確認画面を示した図である。601は、サンプル出力確認画面であり、スタッカ出力ジョブ中に図４のスタッカサンプルキー420を押下することにより、この画面を表示する。602はOKキーであり、このキーを押下すると、スタッカ出力ジョブが動作している場合、そのスタッカ出力ジョブのその時点で画像形成中である画像を1枚余計にプリント出力し、それをサンプルトレイ503に出力する。603はCancelキーであり、サンプル出力をやめて画面を閉じるために使用する。
【００１９】
図７は、本実施例におけるサンプル出力の手順を示すフローチャートである。
【００２０】
なお、図中のS701〜S707は各ステップを示す。
【００２１】
S701では、図４に示すスタッカサンプルキー420が押下され、S702に進む。
【００２２】
S702では、スタッカ出力ジョブ中かどうかを判断し、スタッカ出力ジョブ中の場合はS703に進み、そうでない場合は終了する。
【００２３】
S703では、図６に示すサンプル出力確認画面601を操作パネル316に表示し、キー入力待ちとなりS704に進む。
【００２４】
S704では、図６に示すサンプル出力確認画面601のOKキー602とCancelキー603のキー入力を判断し、OKキー602が押下された場合はS705に進み、Cancelキー603が押下された場合は画面を閉じて終了する。
【００２５】
S705では、現在スタッカ出力ジョブ中かどうかを判断し、スタッカ出力ジョブ中だった場合はS706に進み、そうでなければS707に進む。
【００２６】
S706では、スタッカ出力ジョブのその時点で画像形成中である画像を1枚余計にプリント出力し、それをサンプルトレイ503に出力して終了する。
【００２７】
S707では、図示しないがスタッカ出力ジョブが存在しないことを示すメッセージを操作パネル316に表示して終了する。
【００２８】
本機能は、スタッカ501が動作中はロックがかかり、印字中は出力画像を確認することができないため、サンプル出力により、実際に画像が印字位置等も含め正しく印字されているかを判断することが主な目的となる。
【００２９】
（実施例２）
図８は、本実施例における様々なサンプル出力を示した図である。第1の実施例においては、出力中にキーを押下することにより、その時点で画像形成していた画像をサンプル出力するが、第2の実施例は、プリント開始前に設定して出力する方法を示す。
【００３０】
801は、スタッカ501のスタック部502に出力される本出力データを示している。801では例として、P1からPnまでのnページのセットが3部出力されることを示している。
【００３１】
802〜806は、スタッカ501のサンプルトレイ503に出力されるサンプル出力例を示している。
【００３２】
802は、複数部出力の先頭部先頭ページのみを複製してサンプルトレイ503に出力する。
【００３３】
803は、複数部出力の各部の先頭ページのみを複製してサンプルトレイ503に出力する。
【００３４】
804は、複数部出力の各部の先頭ページのみを複製するとともに、各部の部番号を右下に印字し、サンプルトレイ503に出力する。もちろん、部番号は用紙のどの位置に印字してもよく、複数印字してもかまわない。
【００３５】
805は、指定のページ番号を1枚のみ複製してサンプルトレイ503に出力する。複数のページを指定できるようにしても、もちろんかまわない。
【００３６】
806は、指定のページ範囲を1セット複製してサンプルトレイ503に出力する。複数のページ範囲を指定できるようにしても、もちろんかまわない。
【００３７】
本機能は、スタッカ501が動作中はロックがかかり、印字中は出力画像を確認することができないため、サンプル出力により、プリントの進み具合を確認するのが主な目的となる。
【図面の簡単な説明】
【００３８】
【図１】本実施例における画像形成装置の構成を示すブロック図である。
【図２】本実施例におけるフィニッシャが装着された複写機の断面図である。
【図３】本実施例におけるデジタル複写機の操作部のキー配列図である。
【図４】本実施例における操作パネルのコピー標準画面を示した図である。
【図５】本実施例における本実施例におけるスタッカの断面図である。
【図６】本実施例における本実施例における操作パネルのサンプル出力確認画面を示した図である。
【図７】本実施例における本実施例におけるサンプル出力の手順を示すフローチャートである。
【図８】本実施例における本実施例における様々なサンプル出力を示した図である。
【図１】
2007067859.tif 000003
【図２】
2007067859.tif 000004
【図３】
2007067859.tif 000005
【図４】
2007067859.tif 000006
【図５】
2007067859.tif 000007
【図６】
2007067859.tif 000008
【図７】
2007067859.tif 000009
【図８】
2007067859.tif 000010